(57)【要約】【課題】本発明は、長形状で入射面と出射面を有する導光体を備えた照明装置に関するもので、薄型化を図ることを目的とするものである。【解決手段】そして、この目的を達成するために、本発明は、長形状で入射面４と出射面５を有する導光体６と、この導光体６の入射面４から光を入射させる発光素子９を有する光源ユニット７と、を備え、光源ユニット７を構成する電池ボックス８は、前記導光体６の長手方向上面に配置したので、この電池ボックス８の厚みの一部は、導光体６の厚みの一部として吸収された状態となり、この結果として全体の薄型化を図ることができるのである。【選択図】図５
2015053115.tif 000002
【特許請求の範囲】
【請求項１】
長形状で入射面と出射面を有する導光体と、この導光体の入射面から光を入射させる発光素子を有する光源ユニットと、を備え、
前記光源ユニットは、前記導光体の長手方向上面あるいは下面に配置した電池ボックスと、この電池ボックスに一体化されると共に前記発光素子を保持した発光素子保持体と、を有し、
前記発光素子保持体には、前記発光素子と前記電池ボックスを接続するリード線を設けた照明装置。
【請求項２】
前記電池ボックスは、前記導光体とは反対側に電池交換用開口部を有する請求項１に記載の照明装置。
【請求項３】
前記発光素子保持体には、人感センサーを設けた請求項１または２に記載の照明装置。
【請求項４】
前記導光体と前記光源ユニットの前面側をカバーで覆った請求項１から３のいずれか一つに記載の照明装置。
【請求項５】
第一、第二の導光体を所定間隔離して水平方向に並べ、これら第一、第二の導光体の間には前記光源ユニットの前記発光素子保持体を配置した請求項１から４のいずれか一つに記載の照明装置。
【請求項６】
前記第一、第二の導光体の下面側または上面側を出射面とし、前記発光素子保持体の第一の導光体側には発光素子を配置し、この発光素子保持体の第二の導光体側には、前記第二の導光体の端部から出射する光を出射面方向に変更させる反射面を設けた請求項５に記載の照明装置。
【発明の詳細な説明】
【技術分野】
【０００１】
本発明は、長形状で入射面と出射面を有する導光体を備えた照明装置に関する。
【背景技術】
【０００２】
近年、導光体を用いた照明装置が提案され、脚光を浴びている。
【０００３】
すなわち、長形状で入射面と出射面を有する導光体と、この導光体の入射面から光を入射させる発光素子を有する光源ユニットと、を備えた構成となっており、家庭用電源から電源コードを介して前記発光素子を発光させるようになっていた（例えば、これに類似する先行文献としては、下記特許文献１が存在する）。
【先行技術文献】
【特許文献】
【０００４】
【特許文献１】特開２００５−２２８５３６号公報
【発明の概要】
【発明が解決しようとする課題】
【０００５】
上記従来例においては、発光素子に家庭用電源から電源を供給する構成となっているので、電源コードの配線作業が必要となり、現場における作業性の悪さとなっていた。
【０００６】
そこで、発光素子に電池から電源を供給することが考えられるが、このような電池を用いる場合、電池を収納する電池ボックスが必要となり、これが照明装置としての取付幅を大きなものとしてしまう。
【０００７】
すなわち、このような照明装置は、例えば階段や廊下や室内に設置されるのであるが、取付幅が広くなると、それは階段側または廊下側あるいは室内側に突出した状態となるので、実生活時において、いわゆる邪魔なものともなってしまう。
【０００８】
そこで本発明は、薄型化を図ることを目的とするものである。
【課題を解決するための手段】
【０００９】
そして、この目的を達成するために、本発明は長形状で入射面と出射面を有する導光体と、この導光体の入射面から光を入射させる発光素子を有する光源ユニットと、を備え、前記光源ユニットは、前記導光体の長手方向上面あるいは下面に配置した電池ボックスと、この電池ボックスに一体化されると共に前記発光素子を保持した発光素子保持体と、を有し、前記発光素子保持体には、前記発光素子と前記電池ボックスを接続するリード線を設け、これにより所期の目的を達成するものである。
【発明の効果】
【００１０】
以上の様に本発明は、長形状で入射面と出射面を有する導光体と、この導光体の入射面から光を入射させる発光素子を有する光源ユニットと、を備え、前記光源ユニットは、前記導光体の長手方向上面あるいは下面に配置した電池ボックスと、この電池ボックスに一体化されると共に前記発光素子を保持した発光素子保持体と、を有し、前記発光素子保持体には、前記発光素子と前記電池ボックスを接続するリード線を設けたものであるので、薄型化を図ることができる。
【００１１】
すなわち、本発明においては、前記光源ユニットを構成する電池ボックスは、前記導光
体の長手方向上面あるいは下面に配置したので、この電池ボックスの厚みの一部は、導光体に吸収された状態となり、この結果として全体の薄型化を図ることができるのである。
【００１２】
したがって、この照明装置を、例えば階段や廊下や室内に設置した場合、階段側または廊下側あるいは室内側に突出する量が減少し、その結果として、実生活時において、快適なものとなるのである。
【図面の簡単な説明】
【００１３】
【図１】本発明の一実施形態の照明装置を壁に取り付けた状態を示す斜視図
【図２】同上の照明装置の分解斜視図
【図３】同上の照明装置のカバーを外した状態を示す断面図
【図４】同上の照明装置の要部拡大斜視図
【図５】同上の照明装置の要部拡大断面図
【図６】同上の照明装置の電池ボックスを示す斜視図
【図７】同上の照明装置の電池ボックスを取り外した状態を示す斜視図
【図８】同上の照明装置の分解斜視図
【図９】同上の照明装置の電気的回路図
【発明を実施するための形態】
【００１４】
（実施の形態）
以下、添付図面に基づいて本発明の一実施形態について説明する。
【００１５】
図１は、本発明の一実施形態を示し、この実施形態では、照明装置１を壁２の下方に取り付け、例えば夜間における動線（人の動く方向を示すもの）を暗示させるものである。
【００１６】
すなわち、夜間において、天井などの照明が消灯させられた状態において、壁の下方を照明装置１によって照明することで、動線を暗示させるものとなっているのである。
【００１７】
前記照明装置１は、この図５に示すように、壁２への取付面３を有し、この取付面３の前方の下方には、図７のごとく長形状で入射面４と出射面５を有する導光体６を設けている。
【００１８】
本実施形態における導光体６は、長形状でその一端側（図７では、左側の端部）が入射面４となっており、また、長手方向の下面側が出射面５となっている。
【００１９】
すなわち、壁２の下方を細長く出射面５から出射される光で照明する構成となっているのである。
【００２０】
本実施形態においては、図３、図４に示すごとく、二つの導光体６を所定間隔離して水平方向に並べた状態とし、図２にも示すように各導光体６上には、光源ユニット７を構成する電池ボックス８を配置している。
【００２１】
また、この光源ユニット７は、前記導光体６の入射面４から光を入射させる図６に示す発光素子９を有し、この発光素子９は、発光素子保持体１０に、この図６に示すごとく、保持されている。
【００２２】
そして、この発光素子保持体１０が、図４のごとく、二つの導光体６間に介在した状態で配置されている。
【００２３】
つまり、この状態では、長形状で入射面４と出射面５を有する導光体６の上面側に、光
源ユニット７を構成する電池ボックス８が載せられた状態となっている。
【００２４】
また、光源ユニット７を構成する発光素子保持体１０は、二つの導光体６間に介在した状態で配置されている。
【００２５】
さらに、これらの前記導光体６と前記光源ユニット７の前面側、および上下面側は、着脱自在のカバー１１で覆われている。
【００２６】
このような状態において、光源ユニット７を構成する電池ボックス８内には、図２、図６、図８のごとく複数本の電池１２が直列状態で収納されており、これらの電池１２は図９のごとく人感センサ１３を介して電気的に接続された状態となっている。
【００２７】
また、人感センサ１３は図４のごとく、上方に向けて発光素子保持体１０に保持された状態となっており、上述のごとく、カバー１１で前記導光体６と前記光源ユニット７の前面側、および上下面側を覆っても、この人感センサ１３は、図１のごとく、カバー１１の開口部１４を貫通して上方に露出した状態となっている。
【００２８】
なお、前記発光素子保持体１０には、前記発光素子９と前記電池ボックス８の電池１２を接続するリード線も保持されているが、このリード線は図示していない。
【００２９】
以上の構成とすれば、この照明装置１は、壁２の下方に取り付けられているので、それに人が接近すればそれを人感センサ１３が検出し、図９の回路を閉成させるので、発光素子９が発光することとなる。そして、この発光素子９が発光すれば、導光体６の入射面４から発光素子９の光が導光体６に入射し、その長手方向に広がるとともに、長手方向全域の出射面５から下方に向けて出射されることになる。なお、この出射面５に対向するカバー１１の下面は、透明としているので、光はカバー１１を介して、図１のごとく、この照明装置１下方へと進行し、照明装置１下方の壁２およびそれに接する床面１５を長手方向に細長く照明することとなる。
【００３０】
したがって、人はこの照明を見ることで動線を確認することができ、極めて使い勝手の良いものとなるのである。
【００３１】
本実施形態において特徴的なのは、前記光源ユニット７を構成する電池ボックス８は、図５に示すごとく、前記導光体６の長手方向上面に配置したので、この電池ボックス８の厚みの一部は、導光体６の厚みの一部として吸収された状態となり、この結果として全体の薄型化を図ることができるのである。
【００３２】
したがって、この照明装置１を、図１に示すごとく、例えば階段や廊下や室内に設置した場合、階段側または廊下側あるいは室内側に突出する量が減少し、その結果として、実生活時において、快適なものとなるのである。
【００３３】
また、本実施形態において廊下で実装した例では、３本の電池１２で１年以上十分な照明を行うことができ、また、その後の電池１２交換も極めて容易に行うことができた。
【００３４】
すなわち、本実施形態の電池ボックス８は、前記導光体６とは反対側、具体的には、この例では、図６に示すごとく、上方に電池交換用開口部１６を設けたので、電池１２の交換時には、カバー１１を外せば上方から容易にその交換を行うことができるのである。
【００３５】
さらに、本実施形態で特徴的なのは、前記左右の導光体６の下面側を出射面５とし、前記発光素子保持体１０の一方の導光体６側（図４において、右側）には発光素子９を配置
し、この発光素子保持体１０の他方の導光体６側（図４において、左側）には、前記他方の導光体６の端部６Ａから出射する光を出射面方向（下方）に変更させる反射面１０Ａを設けたことである。
【００３６】
すなわち、階段や廊下あるいは室内で設置面積が長くなると、この図４示すごとく、導光体６を複数個配置し、またそれらに光を入射させるための光源ユニット７も複数配置しなければならないのであるが、このように複数連結した場合には、その連結部が光の弱い部分となってしまう。
【００３７】
そこで、本実施形態では、上述のごとく、前記左右の導光体６の下面側を出射面５とし、前記発光素子保持体１０の一方の導光体６側（図４において、右側）には発光素子９を配置し、この発光素子保持体１０の他方の導光体６側（図４において、左側）には、前記他方の導光体６の端部６Ａから出射する光を出射面方向（下方）に変更させる反射面１０Ａを設けたものであり、このようにすれば二つの導光体６の連結部分においては、発光素子保持体１０の反射面１０Ａからの光が照射されることとなり、この結果として、連結部分における照明ムラを軽減することができるのである。
【００３８】
なお、上記実施形態においては、導光体６の下面側を出射面５としたが、導光体６の前面側を出射面５としても良い。また、導光体６の上面側、または前面側を出射面５とし、この導光体６の下方に光源ユニット７を設けても電池ボックス８の厚みの一部は、導光体６の厚みの一部として吸収された状態となり、この結果として全体の薄型化を図ることができる。
【産業上の利用可能性】
【００３９】
以上の様に本発明は、光源ユニットを構成する電池ボックスを、前記導光体の長手方向上面あるいは下面に配置したので、この電池ボックスの厚みの一部は、導光体に吸収された状態となり、この結果として全体の薄型化を図ることができるのである。
【００４０】
したがって、この照明装置を、例えば階段や廊下や室内に設置した場合、階段側または廊下側あるいは室内側に突出する量が減少し、その結果として、実生活時において、快適なものとなるのである。
【００４１】
このため、各種建築物や構造物の照明装置としての活用が期待されるものとなる。
【符号の説明】
【００４２】
１  照明装置
２  壁
３  取付面
４  入射面
５  出射面
６  導光体
６Ａ  端部
７  光源ユニット
８  電池ボックス
９  発光素子
１０  発光素子保持体
１０Ａ  反射面
１１  カバー
１２  電池
１３  人感センサ
１４  開口部
１５  床面
１６  電池交換用開口部
【図２】
2015053115.tif 000003
【図３】
2015053115.tif 000004
【図４】
2015053115.tif 000005
【図５】
2015053115.tif 000006
【図６】
2015053115.tif 000007
【図７】
2015053115.tif 000008
【図８】
2015053115.tif 000009
【図９】
2015053115.tif 000010
【図１】
2015053115.tif 000011